(57)【要約】【課題】軸方向に沿った長さの増大を抑制しながら、バランスウェイトを端部部材に取り付けるための突部の損傷を防止することができる技術を提供する。【解決手段】軸方向に沿って、回転子コア５０の軸方向両側に、端部部材６０とバランスウェイト７０が配置されている。バランスウェイト７０は、Ｕ字形状に形成されているとともに、Ｕ字形状の両端部に２つの孔７１および７２が形成されている。端部部材６０には、バランスウェイト７０に形成されている２つの孔７１および７２それぞれに挿入可能な２つの突部６１および６２が形成されている。バランスウェイト７０は、突部６１および６２が孔７１および７２に挿入された状態でかしめることによって端部部材６０に取り付けられる。突部６１および６２の外周面、孔７１および７２の内周面は、２つの曲線が接続された雪だるま形状を有している。【選択図】図３
2014079125.tif 000002
【特許請求の範囲】
【請求項１】
円筒形状を有する回転子コアと、
軸方向に沿って、前記回転子コアの両側に配置される端部部材と、
軸方向に沿って、前記各端部部材より前記回転子コアと反対側に配置されるバランスウェイトを備え、
前記バランスウェイトには、２つの孔が形成されており、
前記端部部材には、前記回転子コアと反対側に、前記バランスウェイトに形成されている２つの孔それぞれに挿入可能な２つの突部が形成されており、
軸方向に直角な断面で見て、前記突部の外周面は、当該突部が挿入される前記孔の内周面と同じ形状を有しており、
前記バランスウェイトの２つの孔それぞれに前記端部部材の２つの突部が挿入されることで前記バランスウェイトが前記端部部材に取り付けられている回転子であって、
軸方向に直角な断面で見て、各突部の外周面および各孔の内周面は、少なくとも２つの曲線を接続して形成された非円形形状を有しており、
前記回転子コアの直径Ｌが［８３ｍｍ≦Ｌ≦８５ｍｍ］、各突部の軸方向に直角な断面積の合計Ｓが［Ｓ＞１９０ｍｍ２］、軸方向に直角な断面で見て、各突部の遠心力印加部の長さの合計Ｔが［Ｔ＞３４ｍｍ］に設定されていることを特徴とする回転子。
【請求項２】
円筒形状を有する回転子コアと、
軸方向に沿って、前記回転子コアの両側に配置される端部部材と、
軸方向に沿って、前記各端部部材より前記回転子コアと反対側に配置されるバランスウェイトを備え、
前記バランスウェイトには、２つの孔が形成されており、
前記端部部材には、前記回転子コアと反対側に、前記バランスウェイトに形成されている２つの孔それぞれに挿入可能な２つの突部が形成されており、
軸方向に直角な断面で見て、前記突部の外周面は、当該突部が挿入される前記孔の内周面と同じ形状を有しており、
前記バランスウェイトの２つの孔それぞれに前記端部部材の２つの突部が挿入されることで前記バランスウェイトが前記端部部材に取り付けられている回転子であって、
軸方向に直角な断面で見て、各突部の外周面および各孔の内周面は、少なくとも２つの曲線を接続して形成された非円形形状を有しており、
前記回転子コアの直径Ｌが［８８ｍｍ≦Ｌ≦９０ｍｍ］、各突部の軸方向に直角な断面積の合計Ｓが［Ｓ＞１５４ｍｍ２］、軸方向に直角な断面で見て、各突部の遠心力印加部の長さの合計Ｔが［Ｔ＞３１ｍｍ］に設定されていることを特徴とする回転子。
【請求項３】
請求項１または２に記載の回転子であって、
前記バランスウェイトは、軸方向に直角な断面で見て、線対称なＵ字形状を有しているとともに、前記２つの孔は、前記Ｕ字形状の線対称中心線を挟んで対向する位置に形成されていることを特徴とする回転子。
【請求項４】
請求項３に記載の回転子であって、
軸方向に直角な断面で見て、前記２つの孔は、前記Ｕ字形状の前記線対称中心線を中心に線対称に形成されていることを特徴とする回転子。
【請求項５】
請求項３または４に記載の回転子であって、
前記２つの孔は、前記Ｕ字形状の先端部に形成されていることを特徴とする回転子。
【請求項６】
請求項１〜５のうちのいずれか一項に記載の回転子であって、
軸方向に直角な断面で見て、前記各突部の外周面および前記各孔の内周面は、２つの曲線が接続されて形成されている雪だるま形状を有していることを特徴とする回転子。
【請求項７】
請求項３〜６のうちのいずれか一項に記載の回転子であって、
軸方向に直角な断面で見て、前記各孔は、前記Ｕ字形状の線対称中心線と直交し、前記回転子コアの中心点を通る線を跨ぐように形成されていることを特徴とする回転子。
【請求項８】
固定子と、前記固定子に対して相対的に回転可能に支持されている回転子を備える電動機であって、
前記回転子として請求項１〜７のうちのいずれか一項に記載の回転子が用いられていることを特徴とする電動機。
【請求項９】
請求項８に記載の電動機であって、
前記回転子は、前記回転子コア内に設けられている複数のロータバーが前記端部部材によって接続されているかご型回転子として構成されていることを特徴とする電動機。
【請求項１０】
電動機により駆動される圧縮機であって、
前記電動機として請求項８または９に記載の電動機が用いられていることを特徴とする圧縮機。
【発明の詳細な説明】
【技術分野】
【０００１】
本発明は、電動機の回転子に関し、特に、回転子の回転時に発生するアンバランス荷重を抑制するバランスウェイトが設けられている回転子に関する。
【背景技術】
【０００２】
電動機の回転子には、回転子の回転時に発生するアンバランス荷重を抑制するためにバランスウェイトが設けられている。例えば、特開２００６−１５２８３８号公報には、図7に示されている回転子が示されている。なお、図7は、軸方向（紙面に垂直な前後方向）に沿った一方側から回転子を見た図（軸方向に直角な方向から見た断面図）である。
図7に示されている回転子は、回転子コア３５０、端部部材（エンドリング）３６０、バランスウェイト３７０を有している。回転子コア３５０は、回転軸挿入空間を形成する内周面３５０ａおよび外周面３５０ｂを有する円筒形状に形成されている。エンドリング３６０は、回転子コア３５０の軸方向両側に配置されている。端部部材３６０は、回転子コア３５０の中心点Ｐを中心とする円形形状の内周面３６０ａおよび外周面３６０ｂを有するリング形状に形成されている。バランスウェイト３７０は、軸方向に沿って、端部部材３６０より回転子コア３５０と反対側に配置されている。バランスウェイト３７０は、回転子コア３５０の中心点Ｐを中心とする円弧形状（半円形状）の内周面３７０ａおよび外周面３７０ｂと端面３７０ｃおよび３７０ｄを有するＵ字形状に形成されている。バランスウェイト３７０のＵ字形状は、回転子コア３５０の中心点Ｐを通る線対称中心線Ｍを中心に線対称である。バランスウェイト３７０を端部部材３６０に取り付ける（固定する）方法としては、端部部材３６０に形成した突部をバランスウェイト３７０に形成した孔に挿入した状態でかしめる方法が用いられる。
回転子が回転すると、バランスウェイト３７０には、Ｕ字形状の線対称中心線Ｍに沿った方向に遠心力Ｆ（バランスウェイトの各部に作用する遠心力ベクトルを合成した合成遠心力ベクトル）が作用する。バランスウェイト３７０の厚さ（軸方向に沿った長さ）をできるだけ薄くするために、バランスウェイト３７０には、Ｕ字形状の両端部に２つの孔３７１および３７２が形成されている。そして、端部部材３６０には、バランスウェイト３７０に形成されている孔３７１および３７２それぞれに挿入可能な２つの突部３６１および３６２が形成されている。突部３６１および３６２の外周面３６１ａおよび３６２ａ、孔３７１および３７２の内周面は、断面が円形形状に形成されている。この場合、遠心力Ｆは、突部３６１の外周面３６１ａのうちの遠心力印加部３６１Ａ(周方向長さＲ３１１)および突部３６２の外周面３６２ａのうちの遠心力印加部３６２Ａ（周方向長さＲ３１１）に印加される。また、遠心力Ｆに対する突部３６１および３６２の強度は、突部３６１の断面積Ｓ３１１および突部３６２の断面積Ｓ３１１によって定まる。
【先行技術文献】
【特許文献】
【０００３】
【特許文献１】特開２００６−１５２８３８号公報
【発明の概要】
【発明が解決しようとする課題】
【０００４】
近年、電動機の高速回転に対する要望が増えている。電動機を高速回転させると、端部部材３６０に形成されている突部３６１（３６２）の遠心力印加部３６１Ａ（３６２Ａ）に印加される遠心力が増大し、突部３６１（３６２）が損傷するおそれがある。
突部３６１（３６２）の損傷を防止する方法としては、例えば、図８に示すように、突部および孔の数を増加させる方法が考えられる。図８に示されている回転子では、バランスウェイト４７０には、Ｕ字形状の両端部に孔４７１および４７２が形成されているとともに、さらにＵ字形状の中央部に孔４７３が形成されている。そして、端部部材４６０には、バランスウェイト４７０に形成されている孔４７１〜４７３それぞれに挿入可能な突部４６１〜４６３が形成されている。図８に示されている回転子では、遠心力Ｆは、突部４６１の遠心力印加部４６１Ａ（周方向長さＲ４１１）、突部４６２の遠心力印加部４６２Ａ（周方向長さＲ４１１）および突部４６３の遠心力印加部４６３Ａ（周方向長さＲ４１１）に印加される。そして、遠心力Ｆに対する強度は、突部４６１の断面積Ｓ４１１、突部４６２の面積Ｓ４１１および突部４６３の断面積Ｓ４１１によって定まる。これにより、図８に示されている回転子では、図７に示されている回転子に比べて、突部４６１〜４６３の損傷を防止することができる。
しかしながら、バランスウェイト４７０に形成する孔の数を増加させると、バランスウェイト４７０の重量が低下し、回転子のアンバランス荷重を抑制する効果が低下する。このため、バランスウェイト４７０の厚さを厚くして重量を増大させる（補償する）必要がある。バランスウェイトの厚さが厚くなると、回転子の軸方向に沿った長さ、したがって、電動機の軸方向に沿った長さが長くなる。特に、バランスウェイト４７０のＵ字形状の中央部に孔４７３を形成する場合には、Ｕ字形状の端部に孔を形成する場合に比べて、バランスウェイト４７０の重量をより増大させる（補償量を増大させる）必要がある。一方、電動機の軸方向の長さは、電動機の設置スペースの関係から制限がある。
本発明は、このような点に鑑みて創案されたものであり、軸方向に沿った長さの増大を抑制しながら、バランスウェイトを端部部材に取り付けるための突部の損傷を防止することができる技術を提供することを目的とする。
【課題を解決するための手段】
【０００５】
第１発明は、回転子に関する。
本発明の回転子は、円筒形状の回転子コアを有している。そして、軸方向に沿って、回転子コアの両側に、端部部材とバランスウェイトが順に配置されている。端部部材は、例えば、かご型回転子のエンドリングが対応する。エンドリングは、回転子コアに軸方向に沿って延びるように設けられている複数の導体バーの端部同士を接続する。この場合、導体バーとエンドリングは、好適には、アルミダイキャストによって一体成形される。バランスウェイトは、例えば、鉄、鉛、真鍮等によって形成される。
バランスウェイトには、２つの孔が形成されている。各孔は、好適には、軸方向に貫通するように形成される。また、端部部材には、回転子コアと反対側に、バランスウェイトに形成されている２つの孔それぞれに挿入可能な２つの突部が形成されている。軸方向に直角な断面で見て、突部の外周面と、当該突部が挿入される孔の内周面は、同じ形状（「略同じ形状」を含む）を有している。そして、バランスウェイトに形成されている孔に端部部材に形成されている突部が挿入されることで、バランスウェイトが端部部材に取り付けられる(固定される)。好適には、突部を孔に挿入した状態でかしめる（例えば、突部の先端部を加圧して突部の外周面を孔の内周面に密着させる）ことによって、バランスウェイトを端部部材に取り付ける方法が用いられる。
本発明では、軸方向に直角な断面で見て、突部の外周面および孔の内周面は、少なくとも２つの曲線を接続して形成された非円形形状を有している。「少なくとも２つの曲線」としては、種々の形状の曲線を用いることができるが、好適には円形の曲線が用いられる。また、「少なくとも２つの曲線」としては、例えば、形状および大きさが同じ（「略同じ」を含む）第１および第２の曲線（例えば、直径が同じ円形）、形状は同じ（「略同じ」を含む）であるが大きさが異なる第１および第２の曲線（例えば、直径が異なる円形）、形状が異なる第１および第２の曲線（例えば、円形と楕円形）を用いることができる。２つの突部の外周面は、遠心力が両突部に均等に印加されるように、同じ大きさで同じ形状（「略同じ大きさで略同じ形状」を含む）に形成するのが好ましい。２つの孔の内周面も、同じ大きさで同じ形状に形成するのが好ましい。
そして、回転子コアの直径Ｌが、［８３ｍｍ≦Ｌ≦８５ｍｍ］の範囲内、各突部の軸方向に直角な断面積の合計Ｓが、［Ｓ＞１９０ｍｍ２］の範囲内、軸方向に直角な断面で見て、各突部の遠心力印加部の長さの合計Ｔが、［Ｔ＞３４ｍｍ］の範囲内に設定されている。
「突部の遠心力印加部」は、軸方向に直角な断面で見て、突部の外周面を形成する各曲線の外周面のうち、バランスウェイトに作用する遠心力の印加方向（バランスウェイトの各部に作用する遠心力ベクトルを合成した合成遠心力ベクトルの方向）側の部分であり、「突部の遠心力印加部の長さ」は、その部分の周方向に沿った長さである。
なお、［１９０ｍｍ２］および［３４ｍｍ］は、図７に示されている、２つの円形の孔および突部を有する従来の回転子コアの直径Ｌが［８３ｍｍ≦Ｌ≦８５ｍｍ］の範囲内に設定される場合に、バランスウェイトの厚さを設定値以下に抑えた状態で形成可能な突部の断面積の合計の最大値および遠心力印加部の長さの合計の最大値である。
本発明では、バランスウェイトに２つの孔を形成しているため、バランスウェイトの軸方向の長さの増大量を低減することができる。また、２つの突部の遠心力印加部の長さの合計が、従来の回転子に形成可能な２つの円形の突部の遠心力印加部の長さの合計の最大値より大きいため、遠心力が突部に作用する箇所を分散させることができ、遠心力が突部の一部に集中的に作用するのを防止することができる。また、２つの突部の断面積の合計が、従来の回転子に形成可能な２つの円形の突部の断面積の合計の最大値より大きいため、遠心力に対する突部の強度（せん断強度）を高めることができる。したがって、軸方向に沿った長さの増大を抑制しながら、バランスウェイトを端部部材に取り付けるための突部の損傷を防止することができる。
【０００６】
第２発明も、回転子に関する。
本発明の回転子は、第１の発明の回転子と同様に、軸方向に沿って、円筒形状の回転子コア、２つの突部が形成されている端部部材、２つの孔が形成されているバランスウェイトが配置されている。
そして、本発明では、回転子コアの直径Ｌが、［８８ｍｍ≦Ｌ≦９０ｍｍ］の範囲内、各突部の軸方向に直角な断面積の合計Ｓが、［Ｓ＞１５４ｍｍ２］の範囲内、軸方向に直角な断面で見て、各突部の遠心力印加部の長さの合計Ｔが、［Ｔ＞３１ｍｍ］の範囲内に設定されている。
なお、［１５４ｍｍ２］および［３１ｍｍ］は、図７に示されている、２つの円形の孔および突部を有する従来の回転子コアの直径Ｌが、［８８ｍｍ≦Ｌ≦９０ｍｍ］の範囲内に設定される場合に、バランスウェイトの厚さを設定値以下に抑えた状態で形成可能な突部の断面積の合計の最大値および遠心力印加部の長さの合計の最大値である。
本発明は、第１発明と同様の効果を有する。
【０００７】
第１発明および第２発明の異なる他の形態では、バランスウェイトは、軸方向に直角な断面で見て、線対称なＵ字形状を有している。また、２つの孔は、Ｕ字形状の線対称中心線を挟んで対向する位置に形成されている。
本形態では、回転子のアンバランス荷重を安定して抑制することができる。また、遠心力が一方の突部に集中して作用するのを防止することができる。
【０００８】
第１発明および第２発明の異なる他の形態では、軸方向に直角な断面で見て、２つの孔は、Ｕ字形状の線対称中心線を中心に線対称に形成されている。
本形態では、回転子のアンバランス荷重をより安定して抑制することができる。また、遠心力が一方の突部に集中して作用するのをより防止することができる。
【０００９】
第１発明および第２発明の異なる他の形態では、２つの孔は、Ｕ字形状の先端部に形成されている。
本形態では、孔がＵ字形状の先端部に形成されているため、孔をＵ字形状の中央部に形成する場合に比べて、バランスウェイトの重量の増大量（補償量）を低減することができる。これにより、バランスウェイトの厚さ（軸方向の長さ）の増大量を低減することができる。したがって、回転子の軸方向に沿った長さが長くなるのを抑制することができる。
【００１０】
第１発明および第２発明の異なる他の形態では、軸方向に直角な断面で見て、各突部の外周面および各孔の内周面は、２つの曲線（胴の部分を形成する第１の曲線、頭の部分を形成する第２の曲線）が接続されて形成されている雪だるま形状を有している。２つの曲線としては、好適には円形が用いられる。もちろん、円形以外の種々の曲線を用いることができる。雪だるま形状としては、２つの曲線の接続点を結ぶ線に交差する方向（例えば、直交する方向）に延びる線対称中心線を中心として線対称な雪だるま形状を用いるのが好ましい。この場合、雪だるま形状の線対称中心線とＵ字形状の線対称中心線との間の角度は、０度（雪だるま形状の線対称中心線がＵ字形状の線対称中心線と平行）を含めて任意の角度に設定することができる。雪だるま形状の線対称中心線とＵ字形状の線対称中心線との間の角度を変更することによって、各突部の遠心力印加部の位置および長さを変更することができる。雪だるま形状の線対称中心線とＵ字形状の線対称中心線との間の角度を０度以外の角度に設定する場合には、２つの突部（２つの孔）を、それぞれの外周面（内周面）がＵ字形状の線対称中心線を中心に線対称となるように形成するのが好ましい。
本形態では、各突部の遠心力印加部の長さを任意に変更することができる。
【００１１】
第１発明および第２発明の異なる他の形態では、軸方向に直角な断面で見て、各孔は、Ｕ字形状の線対称中心線と直交し、回転子コアの中心点を通る線を跨ぐように形成されている。「孔が、Ｕ字形状の線対称中心線と直交し、回転子コアの中心点を通る線を跨ぐ」構成には、「孔の内周面を形成する曲線の接続点が、当該線上に配置される」態様あるいは「孔を形成する曲線の接続点以外の箇所が、当該線上に配置される」態様が含まれる。例えば、孔の内周面が、２つの曲線が接続されて形成されている雪だるま形状を有している場合には、「一方の曲線で形成されている部分（例えば、頭の部分）が、当該線よりＵ字形状の中央部側に配置され、他方の曲線で形成されている部分（例えば、胴の部分）が、当該線よりＵ字形状の中央部と反対側に配置される」態様、あるいは、「一方の曲線で形成されている部分の一部が、当該線よりＵ字形状の中央部側に配置され、一方の曲線で形成されている部分の残りの部分および他方の曲線で形成されている部分が、当該線よりＵ字形状の中央部分と反対側に配置される」態様を用いることができる。
なお、バランスウェイトのＵ字形状の線対称中心線と直交し、回転子コアの中心点を通る線よりＵ字形状の中央部と反対側の部分は、Ｕ字形状の中央部側の部分による、回転子のアンバランス荷重の抑制効果を打ち消すように作用する。ここで、バランスウェイトのＵ字形状の線対称中心線と直交し、回転子コアの中心点を通る線の近傍の部分は、バランスウェイトのアンバランス荷重の抑制に対する影響は小さい。このため、本形態では、各孔の全部を、バランスウェイトのＵ字形状の線対称中心線と直交し、回転子コアの中心点を通る線よりＵ字形状の中央部側に形成する場合に比べて、バランスウェイトの重量の増大量（補償量）を低減することができ、バランスウェイトの厚さの増大量を低減することができる。したがって、回転子の軸方向に沿った長さが長くなるのをより防止することができる。
【００１２】
第３発明は、電動機に関する。
本発明の電動機は、固定子、固定子に対して相対的に回転可能に支持されている回転子を備えている。そして、回転子として前述した回転子のいずれかが用いられている。
本発明の電動機は、前述した回転子の効果を有している。
【００１３】
第３発明の他の異なる形態では、回転子は、回転子コア内に設けられている複数のロータバーの端部が端部部材によって接続されているかご型回転子として構成されている。
【００１４】
第４発明は、圧縮機に関する。
本発明の圧縮機は、前述した電動機のいずれかにより駆動される。
本発明の圧縮機は、前述した回転子の効果を有している。
【発明の効果】
【００１５】
第１発明および第２発明の回転子、第３発明の電動機、第４発明の圧縮機を用いることにより、軸方向に沿った長さの増大を抑制しながら、バランスウェイトを端部部材に取り付けるための突部の損傷を防止することができる。
【図面の簡単な説明】
【００１６】
【図１】圧縮機の縦断面図である。
【図２】圧縮機に用いられている電動機の回転子の縦断面図である。
【図３】第１の実施の形態の回転子を、図２の矢印ＩＩＩ方向から見た図である。
【図４】図３のＩＶ−ＩＶ線矢視図である。
【図５】第２の実施の形態の回転子を、図２の矢印ＩＩＩ方向から見た図である。
【図６】第３の実施の形態の回転子を、図２の矢印ＩＩＩ方向から見た図である。
【図７】従来の回転子を、図２の矢印ＩＩＩ方向から見た図である。
【図８】従来の回転子の変更例を、図２の矢印ＩＩＩ方向から見た図である。
【発明を実施するための形態】
【００１７】
以下に、本発明の実際の形態を、図面を参照して説明する。以下では、かご型回転子を有する誘導電動機を駆動電動機として用いた圧縮機について説明する。勿論、本発明の回転子は、かご型回転子以外の回転子として構成することができる。また、誘導電動機以外の電動機として構成することができる。また、圧縮機以外の機器を駆動することができる。
本発明の圧縮機１０の概略構成を、図１、図２に示す。なお、図１は圧縮機１０の縦断面図である。また、図２は、図１に示した電動機３０の回転子の縦断面図である。
圧縮機１０は、圧縮機構部２０、電動機３０、アキュムレータ９０等により構成されている。圧縮機構部２０と電動機３０は、密閉容器１１内に配置されている。密閉容器１１には、吸入口９１と、吐出口１２が設けられている。
アキュムレータ９０は、冷却媒体（例えば、冷却ガス）と潤滑油を分離する。アキュムレータ９０で分離された冷却媒体は、吸入口９１を介して圧縮機構部２０に戻る。また、アキュムレータ９０で分離された潤滑油は、潤滑油溜め２５に戻る。
圧縮機構部２０は、シリンダ２１と、軸受１３、１４により支持されている回転軸８０により駆動される偏心ロータ２２を有している。圧縮機構部２０は、偏心ロータ２２が回転することによって、吸入口９１から吸入した冷却媒体をシリンダ２１内で圧縮する。
圧縮機構部２０で圧縮された冷却媒体は、電動機３０の固定子コア４０に形成されている切欠部、回転子コア５０に形成されている通路孔、固定子コア４０と回転子コア５０との間の間隙（ギャップ）等を通り、吐出口１２から吐出される。
また、回転軸８０の回転によって、潤滑油溜め２５に貯留されている潤滑油が圧縮機構部２０の摺動部に供給される。各摺動部を潤滑した潤滑油は、潤滑油留め２５に戻される。
図１に示す圧縮機１０では、冷却媒体と潤滑油が混在した媒体が吐出口１２から吐出される。
【００１８】
なお、本明細書では、回転子が固定子に対して回転可能に支持されている状態において、回転子コアの中心線Ｐに平行な方向を「軸方向」と呼ぶ。また、回転子が固定子に対して回転可能に支持されている状態において、軸方向に直角な断面で見て（軸方向に直角な方向から見て）、回転子コアの中心線（中心点）Ｐを中心とする円に沿った方向を「周方向」と呼び、回転子コアの中心線（中心点）Ｐを通る線に沿った方向を「径方向」と呼ぶ。
【００１９】
電動機３０は、固定子と回転子を備えている。
固定子は、固定子コア４０と固定子巻線４１を有している。固定子コア４０は、薄い板状の電磁鋼板を複数枚積層して構成されている。固定子コア４０は、内周側にティースが形成され、外周側に切欠部が形成されている。ティースの先端側のティース先端面によって、回転子を収容する回転子収用空間が形成されている。そして、周方向に沿って隣接するティースによってスロットが形成され、スロット内に固定子巻線４１が挿入されている。固定子巻線４１は、例えば、分布巻方式や集中巻方式によって、スロット内に挿入される。固定子コアの切欠部によって、圧縮機構部２０で圧縮された冷却媒体が通過する通路が形成される。
【００２０】
回転子は、回転子コア５０、エンドリング６０、バランスウェイト７０、回転軸８０を有している。
回転子コア５０は、板状の電磁鋼板を複数枚積層して構成される。回転子コア５０は、回転子コア５０の中心点Ｐを中心とする円形形状の内周面５０ａと外周面５０ｂを有する円筒形状に形成されている。回転子コア５０の内周面５０ａによって、回転軸８０が挿入される回転軸挿入孔が形成されている。回転軸８０は、「圧入方法」や「焼ばめ方法」等によって回転軸挿入孔に挿入される。回転子コアは、外周面５０ｂと固定子コアに形成されているティースのティース先端面との間に間隔（ギャップ）を有している状態で固定子コア４０に対して回転可能に支持される。
【００２１】
エンドリング６０は、回転子コア５０の軸方向両側に配置される。本実施の形態では、エンドリング６０は、軸方向に直角な断面で見て、回転子コア５０の端面内に収まるリング形状に形成されている（図３参照）。
なお、図示を省略しているが、回転子コア５０には、外周側に、周方向に沿って間隔をあけて、軸方向に沿って延びる複数の導電バーが設けられている。そして、導電バーの端部が、エンドリング６０で接続されることによって、かご型回転子が構成されている。本実施の形態では、回転子コア５０の外周側に、周方向に沿って間隔をあけて、軸方向に沿って延びている貫通孔を形成し、アルミダイキャストによって、貫通孔内に配置された導電バーと回転子コア５０の軸方向両側に配置されたエンドリング６０を一体成形している。
エンドリング６０が、本発明の「端部部材」に対応する。
【００２２】
バランスウェイト７０は、軸方向（図１および図２の上下方向）に沿って、エンドリング６０より回転子コア５０と反対側に配置されている。バランスウェイト７０は、鉄、鉛、真鍮等によって形成される。
バランスウェイト７０は、軸方向に直角な断面で見て、Ｕ字形状を有している（図３参照）。なお、回転子コア５０の軸方向両側に配置されているバランスウェイト７０は、軸方向に直角な方向から見て、それぞれのＵ字形状が、回転子コア５０の中心点Ｐを中心として点対称となるように配置されている。
エンドリング６０とバランスウェイト７０には、バランスウェイト７０をエンドリング６０に取り付ける（固定する）取り付け手段（固定手段）が設けられている。取り付け手段は、バランスウェイト７０に形成された孔と、エンドリング６０に形成され、バランスウェイト７０に形成された孔に挿入可能な突部により構成されている。
【００２３】
第１の実施の形態の回転子のエンドリング６０とバランスウェイト７０の構成を、図３および図４を参照して説明する。図３は、第１の実施の形態の回転子を、図２の矢印ＩＩＩの方向から見た図である。また、図４は、図３のＩＶ−ＩＶ線矢視図である。
エンドリング６０は、軸方向に直角な断面で見て、回転子コア５０の中心点Ｐを中心とする円形形状の内周面６０ａと外周面６０ｂを有するリング形状に形成されている。
バランスウェイト７０は、軸方向に直角な断面で見て、内周面７０ａ、外周面７０ｂ、端面７０ｃおよび７０ｄを有するＵ字形状に形成されている。バランスウェイト７０のＵ字形状は、回転子コア５０の中心点Ｐを通る線対称中心線Ｍを中心として線対称に形成されている。なお、本実施の形態では、後述するように、孔７１および７２が、線対称中心線Ｍと直交し、回転子コア５０の中心点Ｐを通る線Ｎを跨ぐように形成されているため、内周面７０ａおよび外周面７０ｂは、回転子コア５０の中心点Ｐを中心とする半円形状ではなく、線ＮよりＵ字形状の中央部と反対側に延びている。
【００２４】
バランスウェイト７０には、Ｕ字形状の両端部の位置それぞれに、２つの孔７１（第１の孔）と７２（第２の孔）が形成されている。
孔７１と７２は、軸方向に直角な断面で見て、内周面が、少なくとも２つの曲線を接続した非円形形状に形成される。本実施の形態では、孔７１と７２は、内周面が、第１の円と第２の円を接続した雪だるま形状に形成されている。すなわち、孔７１の内周面は、雪だるまの胴の部分（胴部）を形成する第１の円と、頭の部分（頭部）を形成する第２の円を有している。本実施の形態では、第１の円の直径と第２の円の直径が等しく（「略等しい」を含む）設定されている。孔７２の内周面は、孔７１の内周面と同じ寸法で同じ形状（「略同じ寸法で略同じ形状」を含む）を有している。
本実施の形態では、孔７１（７２）の内周面の非円形形状は、第１の円と第２の円との接続点を結ぶ線に直交する方向（交差する方向）に延びる線対称中心線Ｑを中心とする線対称な形状に形成されている。そして、孔７１（７２）は、内周面の非円形形状の線対称中心線Ｑがバランスウェイト６０のＵ字形状の線対称中心線Ｍと平行（「略平行」を含む）となるように形成されている。
また、孔７１（７２）の内周面を形成する第１の円と第２の円との接続点が、バランスウェイト７０のＵ字形状の線対称中心線Ｍと直交し、回転子コア５０の中心点Ｐを通る線Ｎ上に配置されるように形成されている。
【００２５】
バランスウェイト７０に孔を形成した場合には、形成した孔によるバランスウェイト７０の重量の低下を補償するために、バランスウェイト７０の厚さ（図２および図４に示されている、軸方向の長さＨ）を厚くする必要がある。
ここで、バランスウェイト７０のＵ字形状の端部（端面７０ｃ、７０ｄ）が、Ｕ字形状の線対称中心線Ｍと直交し、回転子コア５０の中心点Ｐを通る線ＮよりＵ字形状の中央部と反対側に延びている場合、線ＮよりＵ字形状の中央部と反対側の部分は、線ＮよりＵ字形状の中央部側の部分による回転子のアンバランス荷重抑制効果を打ち消すように作用する。
しかしながら、線Ｎの近傍の部分（Ｕ字形状の端部の部分）は、Ｕ字形状の中央部の部分に比べて、回転子のアンバランス荷重の抑制に対する影響（アンバランス荷重抑制効果）が小さい。このため、バランスウェイト７０のＵ字形状の端部が、線ＮよりＵ字形状の中央部と反対側に少し延びていても、バランスウェイト７０全体の回転子のアンバランス荷重に対する抑制効果の低下量は小さい。
一方、孔７１（７２）の内周面７１ａ（７２ａ）を形成する第１の円を線ＮよりＵ字形状の中央部と反対側に配置することにより、回転子のバランス荷重の抑制に寄与する、線ＮよりＵ字形状の中央部側の部分の重量の減少量を少なくすることができる。
この場合、孔７１（７２）の内周面７１ａ（７２ａ）を形成する第１の円を線ＮよりＵ字形状の中央部と反対側に配置することに対するバランスウェイト７０の重量の補償量は、Ｕ字形状の端部を線ＮよりＵ字形状の中央部と反対側に延ばすことに対するバランスウェイト７０の重量の補償量より小さい（重量の増加量が少ない）。
したがって、バランスウェイト７０の厚さ（軸方向の長さＨ）の増大量（補償量）を低減することができ、回転子の軸方向の長さが長くなるのを防止することができる。
【００２６】
エンドリング６０には、軸方向に沿って、回転子コア５０と反対側（バランスウェイト７０側）に、バランスウェイト７０に形成されている２つの孔７１（第１の孔）と７２（第２の孔）それぞれに挿入可能な２つの突部６１（第１の突部）と６２（第２の突部）が形成されている。
突部６１と６２は、軸方向に直角な断面で見て、外周面が、孔７１および孔７２の内周面と同様に、第１の円と第２の円を接続した非円形形状となるように形成されている。本実施の形態では、突部６１は、外周面６１ａの形状が、第１の円６１ａ１と第２の円６１ａ２を接続した雪だるま形状に形成されている。すなわち、突部６１の外周面６１ａは、雪だるまの胴の部分（胴部）を形成する第１の円６１ａ１と、頭の部分（頭部）を形成する第２の円６１ａ２を有している。本実施の形態では、第１の円６１ａ１の直径と第２の円６１ａ２の直径が等しく（「略等しい」を含む）設定されている。突部６２の外周面６２ａは、突部６１の外周面６１ａと同じ寸法、同じ形状を有している。
突部６１（６２）の外周面６１ａ（６２ａ）は、突部６１（６２）それぞれが孔７１（７２）に挿入可能となるように、孔７１（７２）の内周面と同じ大きさあるいは少し小さく形成されている。
【００２７】
バランスウェイト７０は、バランスウェイト７０に形成されている孔７１および７２それぞれに、エンドリング６０に形成されている突部６１および６２が挿入されることでエンドリング６０に取り付けられる（固定される）。
本実施の形態では、バランスウェイト７０に形成されている孔７１（７２）にエンドリング６０に形成されている突部６１（６２）を挿入した状態でかしめることによって、バランスウェイト７０をエンドリング６０に取り付けている（固定している）。すなわち、突部６１（６２）を孔７１（７２）に挿入した状態で、突部６１(６２)の先端部に押圧力を印加することによって、突部６１（６２）の外周面を拡げ、孔７１（７２）の内周面に密着させる。
【００２８】
本実施の形態では、遠心力Ｆ（バランスウェイト７０の各部に作用する遠心力ベクトルを合成した合成遠心力ベクトル）は、軸方向に直角な断面で見て、突部６１の外周面６１ａを形成する第１の円６１ａ１の部分のうちの第１の遠心力印加部６１Ａ(周方向長さＲ１１)、第２の円６１ａ２の部分のうちの第２の遠心力印加部６１Ｂ（周方向長さＲ１２）および第３の遠心力印加部６１Ｃ（周方向長さＲ１３）に印加される。
同様に、遠心力Ｆは、軸方向に直角な断面で見て、突部６２の外周面６２ａを形成する第１の円６２ａ１の部分のうちの第１の遠心力印加部６２Ａ(周方向長さＲ１１)、第２の円６２ａ２の部分のうちの第２の遠心力印加部６２Ｂ（周方向長さＲ１２）および第３の遠心力印加部６２Ｃ（周方向長さＲ１３）に印加される。
第１の遠心力印加部６１Ａ、第２の遠心力印加部６１Ｂおよび第３の遠心力印加部６１Ｃが、本発明の「突部６１の遠心力印加部」に対応し、第１の遠心力印加部６２Ａ、第２の遠心力印加部６２Ｂおよび第３の遠心力印加部６２Ｃが、本発明の「突部６２の遠心力印加部」に対応する。
「突部の遠心力印加部」は、軸方向に直角な断面で見て、突部の外周面を形成する各曲線の外周面のうち、バランスウェイト７０に作用する遠心力Ｆの印加方向（バランスウェイト７０の各部に作用する遠心力ベクトルを合成した合成遠心力ベクトルの方向）側の部分である。具体的には、軸方向に直角な断面において、突部の外周面を形成する各曲線の外周面のうち、バランスウェイト７０に作用する遠心力Ｆ（合成遠心力ベクトル）の印加方向から見える部分が対応する。例えば、図３において、突部６１の外周面６１ａを形成する第１の円６１ａ１の部分のうち、遠心力Ｆの印加方向側の部分（遠心力Ｆの印加方向から見える部分）６１Ａ、第２の円６１ａ２の部分のうち、遠心力Ｆの印加方向側の部分（遠心力Ｆの印加方向から見える部分）６１Ｂおよび６１Ｃが、「突部６１の遠心力印加部」である。
【００２９】
なお、「遠心力印加部の長さ」は、遠心力印加部の周方向に沿った長さであり、「突部の遠心力印加部の長さの合計」は、突部の各遠心力印加部の長さを合計した値である。本実施の形態では、突部６１の外周面６１ａを形成する第１の円６１ａ１および第２の円６１ａ２、突部６２の外周面６２ａを形成する第１の円６２ａ１および第２の円６２ａ２が、同じ直径の円形形状である。また、後述するように、突部６１および６２の非円形形状の線対称中心線Ｑが、Ｕ字形状の線対称中心線Ｍと平行である。このため、突部６１の第１の遠心力印加部６１Ａの長さと突部６２の第１の遠心力印加部６２Ａの長さが等しく、突部６１の第２の遠心力印加部６１Ｂおよび第３の遠心力印加部６１Ｃの長さと突部６２の第２の遠心力印加部６２Ｂおよび第３の遠心力印加部６２Ｃの長さが等しい。したがって、突部６１の遠心力印加部の長さの合計は、突部６２の遠心力印加部の長さの合計に等しい。
また、突部６１（６２）の軸方向に直角な断面積Ｓ１１は、直径Ｄ１１の第１の円６１ａ１（６２ａ１）と直径Ｄ１２（＝Ｄ１１）の第２の円６１ａ２（６２ａ２）で囲まれる領域の面積である。
【００３０】
ここで、図７に示されている、２つの円形の突部３６１、３６２および円形の孔３７１、３７２を有する従来の回転子では、遠心力Ｆは、突部３６１の遠心力印加部３６１Ａおよび突部３６２の遠心力印加部３６２Ａに作用する。遠心力印加部３６１Ａおよび３６２Ａは、Ｄ３１１を直径とする円の一部（円弧）である。遠心力印加部３６１Ａおよび３６２Ａの長さ（周方向に沿った長さ）Ｒ３１１の合計は、突部３６１および３６２に作用する遠心力Ｆの集中度合い（分散度合）を表す。遠心力印加部３６１Ａおよび３６２Ａの長さの合計が小さいと、遠心力Ｆが突部３６１および３６２の所定箇所に集中して作用し、遠心力印加部３６１Ａおよび３６２Ａの長さの合計が大きいと、遠心力Ｆが突部３６１および３６２に分散して作用する。
また、突部３６１および３６２の軸方向に直角な断面積Ｓ３１１は、遠心力Ｆに対する突部３６１および３６２の強度（せん断強度）を表す。突部３６１および３６２の断面積Ｓ３１１が小さいと、突部３６１および３６２のせん断強度が小さく、突部３６１および３６２の断面積Ｓ３１１が大きいと、突部３６１および３６２の強度（せん断強度）が大きい。
図７に示されている従来の回転子において、エンドリング３６０に形成される突部３６１の遠心力印加部３６１Ａの長さおよび突部３６２の遠心力印加部３６２Ａの長さの合計の最大値、突部３６１の断面積および突部３６２の断面積の合計の最大値は、エンドリング３６０に形成可能な突部３６１および３６２の直径の最大直によって定まる。エンドリング３６０に形成可能な突部３６１および３６２の直径の最大値は、回転子コア３５０の直径Ｄ（図２、図４参照）、エンドリング３６０の重量、突部３６１および３６２の外周面３６１ａおよび３６２ａとバランスウェイト３７０の内周面３７０ａ、外周面３７０ｂ、端面３７０ｃおよび３７０ｄとの間の最少間隔（バランスウェイト３７０の強度を確保することができる間隔）によって定まる。ここで、エンドリング３６０の重量、突部３６１および３６２の外周面３６１ａおよび３６２ａとバランスウェイト３７０の内周面３７０ａ、外周面３７０ｂ、端面３７０ｃおよび３７０ｄとの突部３６１、３６２との間の最少間隔は、回転子コア３５０の直径Ｄによって概略定まる。したがって、エンドリング３６０に形成される突部３６１の遠心力印加部３６１Ａの長さおよび突部３６２の遠心力印加部３６２Ａの長さの合計の最大値、突部３６１の断面積および突部３６２の断面積の合計の最大値は、回転子コア３５０の直径Ｄによって定まる。
【００３１】
図７に示されている従来の回転子において、２つの円形の突部３６１の遠心力印加部３６１Ａの長さおよび突部３６２の遠心力印加部の３６２Ａの長さの合計の最大値、突部３６１の断面積および突部３６２の断面積の合計の最大値は、回転子コア３５０の直径Ｌが［８３ｍｍ≦Ｌ≦８５ｍｍ］の範囲内である場合には、それぞれ［３４ｍｍ］、［１９０ｍｍ２］である。
また、回転子コア３５０の直径Ｌが［８８ｍｍ≦Ｌ≦９０ｍｍ］の範囲内である場合には、それぞれ［３１ｍｍ］、［１５４ｍｍ２］である。
本実施の形態では、回転子コアの直径Ｌが、［８３ｍｍ≦Ｌ≦８５ｍｍ］の範囲内である場合には、突部６１の軸方向に直角な断面積および突部６２の軸方向に直角な断面積の合計Ｓが、［Ｓ＞１９０ｍｍ２］の範囲内、軸方向に直角な断面で見て、突部６１の遠心力印加部の長さ（第１〜第３の遠心力印加部６１Ａ〜６１Ｃそれぞれの長さ）と突部６２の遠心力印加部の長さ（第１〜第３の遠心力印加部６２Ａ〜６２Ｃそれぞれの長さ）の合計Ｔが、［Ｔ＞３４ｍｍ］の範囲内に設定されている。
また、回転子コアの直径Ｌが、［８８ｍｍ≦Ｌ≦９０ｍｍ］の範囲内である場合には、突部６１の軸方向に直角な断面積および突部６２の軸方向に直角な断面積の合計Ｓが、［Ｓ＞１５４ｍｍ２］の範囲内、軸方向に直角な断面で見て、突部６１の遠心力印加部の長さ（第１〜第３の遠心力印加部６１Ａ〜６１Ｃそれぞれの長さ）と突部６２の遠心力印加部の長さ（第１〜第３の遠心力印加部６２Ａ〜６２Ｃそれぞれの長さ）の合計Ｔが、［Ｔ＞３１ｍｍ］の範囲内に設定されている。
【００３２】
本実施の形態では、２つの突部６１、６２と孔７１、７２を用いてバランスウェイト７０をエンドリング６０に取り付けているため、バランスウェイト７０の厚さＨの増大を抑制しながら（軸方向に沿った長さの増大を抑制しながら）、バランスウェイト７０をエンドリング６０に取り付けることができる。特に、孔７１および７２を、孔７１および７２の内周面を形成する第１の曲線と第２の曲線の接続点が、回転子コア５０の中心点Ｐを通る線Ｎ上に配置されるように形成しているため、バランスウェイト７０の厚さＨの増大（軸方向に沿った長さの増大）をより抑制することができる。
また、突部６１（６２）の外周面６１ａ（６２ａ）の形状が、第１の曲線と第２の曲線を接続した非円形形状に形成されているとともに、突部（６１、６２）の遠心力印加部（６１Ａ〜６１Ｃ、６２Ａ〜６２Ｃ）の長さの合計および突部（６１、６２）の軸方向に直角な断面積の合計が、従来の、２つの円形の突部および孔を有している回転子における、突部の遠心力印加部の長さの合計の最大値および突部の軸方向に直角な断面積の合計の最大値より大きく設定されているため、回転子を高速で回転させた場合における突部（６１、６２）の損傷を防止することができる。
【００３３】
第１の実施の形態では、２つの突部の外周面および２つの孔の内周面を、直径が同じ第１の円と第２の円を接続した非円形形状に形成したが、直径が異なる第１の円と第２の円を接続した非円形形状に形成することもできる。
第２の実施の形態の回転子を図５に示す。図５は、第２の実施の形態の回転子を、図２の矢印ＩＩＩ方向から見た図である。
【００３４】
本実施の形態は、２つの突部１６１、１６２と２つの孔１７１，１７２の構成およびバランスウェイトの形状が第１の実施の形態の回転子と同じである。
本実施の形態では、突部１６１（１６２）の外周面１６１ａ（１６２ａ）は、直径がＤ１１１である第１の円１６１ａ１（１６２ａ１）と、直径がＤ１１２（＜Ｄ１１１）である第２の円１６１ａ２（１６２ａ２）を接続した非円形形状に形成されている。
孔１７１（１７２）の内周面は、突部１６１（１６２）の外周面１６１ａ（１６２ａ）と同様に、異なる直径の円を接続した非円形形状に形成されている。
また、本実施の形態では、孔１７１（１７２）の内周面の非円形形状は、第１の円と第２の円との接続点を結ぶ線に直交する方向（交差する方向）に延びる線対称中心線Ｑを中心に線対称な非円形形状に形成されている。そして、孔１７１（１７２）は、内周面の非円形形状の線対称中心線Ｑがバランスウェイト１７０のＵ字形状の線対称中心線Ｍに対して角度θ１傾斜するように形成されている。突部１６１（１６２）の傾斜方向は、直径が小さい第２の円１６１ａ２（１６２ａ２）が、直径が大きい第１の円１６１ａ１（１６２ａ１）よりＵ字形状の中央部側に配置されるように設定される。すなわち、孔１７１および１７２は、それぞれの内周面がバランスウェイト１７０のＵ字形状の線対称中心線Ｍを中心として線対称となるように形成されている。
突部１６１（１６２）も、孔１７１（１７２）と同様に外周面１６１ａ（１６２ａ）の非円形形状の線対称中心線がバランスウェイト１７０のＵ字形状の線対称中心線Ｍに対して傾斜するように形成されている。
【００３５】
なお、本実施の形態では、孔１７１（１７２）は、バランスウェイト１７０のＵ字形状の線対称中心線Ｍと直交し、中心線Ｐを通る線Ｎより、Ｕ字形状の中央部側に配置されるように形成されている。すなわち、バランスウェイト１７０の内周面１７０ａおよび外周面１７０ｂは、回転子コア１５０の中心点Ｐを中心とする半円形状に形成されている。
本実施の形態では、突部１６１および１６２の遠心力印加部は、突部１６１の外周面１６１ａを形成する第１の円１６１ａ１の部分のうちの第１の遠心力印加部１６１Ａ（長さＲ１１１）および第２の円１６１ａ２の部分のうちの第２の遠心力印加部１６１Ｂ（長さＲ１１２）、突部１６２の外周面１６２ａを形成する第１の円１６２ａ１の部分のうちの第１の遠心力印加部１６２Ａ（長さＲ１１１）および第２の円１６２ａ２の部分のうちの第２の遠心力印加部１６１Ｂ（長さＲ１１２）である。
また、突部１６１（１６２）の軸方向に直角な断面積Ｓ１１１は、直径Ｄ１１１の第１の円１６１ａ１（１６２ａ１）と直径Ｄ１１２（＜Ｄ１１１）の第２の円１６１ａ２（１６２ａ２）で囲まれる領域の面積である。
突部の遠心力印加部の長さの合計および突部の軸方向に直角な断面積の合計は、第１の実施の形態と同様の方法で設定される。
【００３６】
突部１６１（１６２）および孔１７１（１７２）の非円形形状の線対称中心線とバランスウェイトのＵ字形状の線対称中心線との間の角度は、適宜設定可能である。
例えば、図６に示されているように、孔２７１（２７２）は、内周面の非円形形状の線対称中心線Ｑがバランスウェイト２７０のＵ字形状の線対称中心線Ｍに対して角度θ２（＞θ１）傾斜するように形成させることもできる。
本実施の形態では、突部２６１および２６２の遠心力印加部は、突部２６１の外周面２６１ａを形成する第１の円２６１ａ１の部分のうちの第１の遠心力印加部２６１Ａ（長さＲ２１１）および第２の円２６１ａ２の部分のうちの第２の遠心力印加部２６１Ｂ（長さＲ２１２）、突部２６２の外周面２６２ａを形成する第１の円２６２ａ１の部分のうちの第１の遠心力印加部２６２Ａ（長さＲ２１１）および第２の円２６２ａ２の部分のうちの第２の遠心力印加部２６２Ｂ（長さＲ２１２）である。
また、突部２６１（２６２）の軸方向に直角な断面積Ｓ２１１は、直径Ｄ２１１の第１の円２６１ａ１（２６２ａ１）と直径Ｄ２１２（＜Ｄ２１１）の第２の円２６１ａ２（２６２ａ２）で囲まれる領域の面積である。
【００３７】
本発明は、実施の形態で説明した構成に限定されず。種々の変更、追加、削除が可能である。
実施の形態で説明した個々の構成は単独で用いることもできるし、適宜選択した複数を組み合わせて用いることもできる。
バランスウェイトに形成する孔の内周面およびエンドリングに形成する突部の外周面の非円形形状として、同じ直径の第１の円形形状（円弧形状）と第２の円形形状（円弧形状）あるいは異なる直径の第１の円形形状（円弧形状）と第２の円形形状（円弧形状）を接続して形成した形状を用いたが、少なくとも２つの曲線を接続して形成した種々の非円形形状を用いることができる。すなわち、非円形形状を形成する曲線としては、円形形状を含む種々の形状の曲線を用いることができる。また、非円形形状は、同じ形状で同じ大きさの複数の曲線、同じ形状で異なる大きさの複数の曲線、形状および大きさが異なる複数の曲線を接続することによって形成することができる。
バランスウェイトのＵ字形状は、回転子コアの中心点を中心とする半円形状の内周面および外周面を有するＵ形状に限定されず、半円より短いあるいは半円より長い（例えば、図３に示されている）内周面および外周面を有するＵ字形状も包含される。
孔の内周面（突部の外周面）を形成する曲線の接続点が、バランスウェイトのＵ字形状の線対称中心線と直交し、回転子コアの中心点を通る線上に配置されるように（互いに接続される曲線の一方の曲線と他方の曲線が当該線を挟んで両側に配置されるように）孔（突部）を形成したが、孔の内周面（突部の外周面）が当該線を跨ぐように配置されていればよい。勿論、孔の内周面（突部の内周面）が、当該線よりＵ字形状の中央部側に配置されるように孔（突部）を形成することもできる。
バランスウェイトは、線対称中心線を中心とする線対称な形状に形成するのが好ましいが、線対称な形状でなくてもよい。
２つの孔（２つの突部）は、バランスウェイトの周方向の中心線（例えば、線対称中心線）を挟んで対向する位置に形成するのが好ましいが、２つの孔（２つの突部）を形成する位置は、適宜設定することができる。
２つの孔は、バランスウェイトの周方向に沿った端部の箇所に形成するのが好ましい。
２つの孔の内周面（２つの突部の外周面）は、線対称な形状に形成するのが好ましいが、２つの孔の内周面（２つの突部の外周面）の形状は、適宜設定可能である。
回転子コアの軸方向両側に配置される端部部材としてエンドリングを用いたが、端部部材は、エンドリングに限定されない。
かご型回転子を有する誘導電動機について説明したが、本発明は、かご型回転子以外の回転子を有する種々の電動機として構成することができる。
本発明は、バランスウェイトを有する回転子、バランスウェイトを有する回転子を備える電動機、バランスウェイトを有する回転子を備える電動機を駆動電動機として用いている圧縮機あるいは機器として構成することができる。
【符号の説明】
【００３８】
１０  圧縮機
１１  密閉ケース
１２  吐出口
１３、１４  軸受
２０  圧縮機構部
２１  シリンダ
２２  偏心ロータ
２５  潤滑油溜め
３０  電動機
４０  固定子コア
４１  固定子巻線
５０、１５０、２５０、３５０、４５０  回転子コア
５０ａ、１５０ａ、２５０ａ、３５０ａ、４５０ａ  内周面
５０ｂ、１５０ｂ、２５０ｂ、３５０ｂ、４５０ｂ  外周面
６０、１６０、２６０、３６０、４６０  エンドリング（端部部材）
６０ａ、１６０ａ、２６０ａ、３６０ａ、４６０ａ  内周面
６０ｂ、１６０ｂ、２６０ｂ、３６０ｂ、４６０ｂ  外周面
６１、６２、１６１、１６２、２６１、２６２、３６１、３６２、４６１、４６２、４６３  突部
６１ａ、６２ａ、１６１ａ、１６２ａ、２６１ａ、２６２ａ３６１ａ、３６２ａ、４６１ａ、４６２ａ、４６３ａ  外周面
６１ａ１、６２ａ１、１６１ａ１、１６２ａ１、２６１ａ１、２６２ａ１  第１の外周面
６１ａ２、６２ａ２、１６１ａ２、１６２ａ２、２６１ａ２、２６２ａ２  第２の外周面
６１Ａ、６１Ｂ、６１Ｃ、６２Ａ、６２Ｂ、６２Ｃ、１６１Ａ、１６１Ｂ、１６２Ａ、１６２Ｂ、２６１Ａ、２６１Ｂ、２６２Ａ、２６２Ｂ、３６１Ａ、３６２Ａ、４６１Ａ、４６２Ａ、４６３Ａ  遠心力印加部
７０、１７０、２７０、３７０、４７０  バランスウェイト
７０ａ、１７０ａ、２７０ａ、３７０ａ、４７０ａ  内周面
７０ｂ、１７０ｂ、２７０ｂ、３７０ｂ、４７０ｂ  外周面
７０ｃ、７０ｄ、１７０ｃ、１７０ｄ、２７０ｃ、２７０ｄ、３７０ｃ、３７０ｄ、４７０ｃ、４７０ｄ  端面
７１、７２、１７１、１７２、２７１、２７２、３７１、３７２、４７１、４７２、４７３  孔
８０  回転軸
【図１】
2014079125.tif 000003
【図２】
2014079125.tif 000004
【図３】
2014079125.tif 000005
【図４】
2014079125.tif 000006
【図５】
2014079125.tif 000007
【図６】
2014079125.tif 000008
【図７】
2014079125.tif 000009
【図８】
2014079125.tif 000010